(57)【要約】【目的】  本発明は、小型化を図ることができ且つ汎用性の高いプッシュスイッチを提供することを目的とする。【構成】  プッシュスイッチは、第１方向Ｚに移動可能なキートップ１００と、キートップ１００の移動に応じてオフにされるスイッチＳ１と、スイッチＳ１に電気的に接続された基板４００ａ、４００ｂと、基板４００ｂ上に実装された電子部品５００ａと、基板４００ａ上に設けられ且つスイッチＳ１を保護する回路部６００ａと、基板４００ｂ上に設けられ且つスイッチＳ１のオフに応じて電子部品５００を作動させる回路部６００ｂと、ボディ３００ａとを備えている。ボディ３００ａは、メインボディ３１０ａと、メインボディ３１０ａに設けられ且つ基板４００ａを保持する保持部３２０ａと、保持部３２０ａに設けられ且つ基板４００ｂを基板４００ａから第１方向Ｚに間隔をあけて保持する保持部３３０ａとを有する。【選択図】      図２Ａ
2014130711.tif 000002
【特許請求の範囲】
【請求項１】
第１方向に移動可能なキートップと、
前記キートップの移動に応じてオン又はオフにされるスイッチと、
前記スイッチに電気的に接続された第１、第２基板と、
前記第２基板上に実装された電子部品と、
前記第１基板に設けられており且つ前記スイッチを保護する機能を有する第１回路部と、
前記第２基板に設けられており且つ前記スイッチのオン又はオフに応じて前記電子部品を作動させる第２回路部と、
ボディとを備えており、
前記ボディは、メインボディと、
前記メインボディに設けられており且つ前記第１基板を保持する第１保持部と、
前記メインボディ又は前記第１保持部に設けられており且つ前記第２基板を前記第１基板から前記第１方向に間隔をあけて保持する第２保持部とを有しているプッシュスイッチ。
【請求項２】
請求項１記載のプッシュスイッチにおいて、
前記スイッチは、前記第１、第２基板に突き刺さった金属板である第１、第２固定接点と、
初期位置において前記第１、第２固定接点の少なくとも一方に非接触であり且つ前記キートップの移動に応じて前記初期位置から移動し、前記第１、第２固定接点に接触可能な可動接点とを有するプッシュスイッチ。
【請求項３】
請求項１記載のプッシュスイッチにおいて、
前記スイッチは、前記第１、第２基板に突き刺さった金属板である第１、第２固定接点と、
初期位置において前記第１、第２固定接点に接触しており且つ前記キートップの移動に応じて前記初期位置から移動し、前記第１、第２固定接点の少なくとも一方と非接触となる可動接点とを有するプッシュスイッチ。
【請求項４】
請求項２〜３の何れかに記載のプッシュスイッチにおいて、
前記ボディは、前記第１、第２固定接点を部分的に保持しており、
前記第１、第２固定接点は、前記ボディ外に配置され且つ前記第１、第２基板に突き刺さった接続部を有しているプッシュスイッチ。
【請求項５】
請求項１〜５の何れかに記載のプッシュスイッチにおいて、
前記第２保持部は、前記第１保持部上に設けられており且つ前記第１方向に延びた複数の支柱を有しており、
前記第２基板は、前記支柱上に保持されており、
前記第１基板は、前記支柱に当接するように前記第１保持部上に載置され且つ当該支柱に位置固定されているプッシュスイッチ。
【請求項６】
請求項５に記載のプッシュスイッチにおいて、
前記第１基板は、前記支柱が前記第１方向に移動自在に嵌合するガイド凹部を有しているプッシュスイッチ。
【発明の詳細な説明】
【技術分野】
【０００１】
本発明はプッシュスイッチに関する。
【背景技術】
【０００２】
この種のプッシュスイッチとしては、基板と、キートップと、押下スイッチと、ＬＥＤとを備えているものがある。キートップは、基板側に移動可能に配置されている。押下スイッチは前記基板上に実装されており且つキートップの移動によってオンとなる。ＬＥＤは、前記基板上に実装されており且つ押下スイッチのオンにより点灯する（特許文献１参照）。
【先行技術文献】
【特許文献】
【０００３】
【特許文献１】実開平０６−６２４３８号公報
【発明の概要】
【発明が解決しようとする課題】
【０００４】
上記プッシュスイッチは、押下スイッチ及びＬＥＤが基板上に実装されているため、押下スイッチを保護する保護回路部及びＬＥＤを点灯させるための照明回路部も前記基板上に設けられている。そのため、基板が大型化するので、プッシュスイッチの外形を小さくすることが難しかった。
【０００５】
また、上記プッシュスイッチは、押下スイッチ、保護回路部、ＬＥＤ及び照明回路部が同一の基板上に設けられているため、ＬＥＤ及び照明回路部が不要なプッシュスイッチに対応することができなかった。
【０００６】
本発明は、上記事情に鑑みて創案されたものであって、その目的とするところは、小型化を図ることができ且つ汎用性の高いプッシュスイッチを提供することにある。
【課題を解決するための手段】
【０００７】
上記課題を解決するために、本発明のプッシュスイッチは、キートップと、スイッチと、第１、第２基板と、第１、第２回路部と、電子部品と、ボディとを備えている。前記キートップは、第１方向に移動可能である。前記スイッチは、前記キートップの移動に応じてオン又はオフにされるようになっている。前記第１、第２基板は、前記スイッチに電気的に接続されている。前記電子部品は、前記第２基板上に実装されている。前記第１回路部は、前記第１基板に設けられており且つ前記スイッチを保護する機能を有している。前記第２回路部は、前記第２基板に設けられており且つ前記スイッチのオン又はオフに応じて前記電子部品を作動させるようになっている。前記ボディは、メインボディと、第１、第２保持部とを有している。前記第１保持部は、前記メインボディに設けられており且つ前記第１基板を保持している。前記第２保持部は、前記メインボディ又は前記第１保持部に設けられている。前記第２保持部は前記第２基板を前記第１基板から前記第１方向に間隔をあけて保持している。
【０００８】
このような態様のプッシュスイッチによる場合、スイッチを保護するための第１回路部が第１基板に、電子部品及びこれを作動させるための第２回路部が第２基板に設けられている。この第１、第２基板がボディの第１、第２保持部に第１方向に間隔をあけて保持されている。よって、前記プッシュスイッチの第１方向からの投影面積を小さくすることができ、小型化を図ることができる。しかも、前記プッシュスイッチは、以下の通り、汎用性の高いスイッチとすることができる。電子部品及び第２回路部が第２基板に設けられているので、当該第２基板を除去することにより、電子部品が不要なプッシュスイッチに対応することができる。また、当該第２基板を別の電子部品及びこれを作動させるための別の第２回路部が設けられた別の第２基板に交換することにより、別の電子部品を作動させるためのプッシュスイッチとすることも可能である。
【０００９】
前記スイッチは、第１、第２固定接点と、可動接点とを有する構成とすることが可能である。前記第１、第２固定接点は、前記第１、第２基板に突き刺さった金属板である。可動接点は、初期位置において前記第１、第２固定接点の少なくとも一方に非接触であり且つ前記キートップの移動に応じて前記初期位置から移動し、前記第１、第２固定接点に接触可能な構成とすることが可能である。または、前記可動接点は、初期位置において前記第１、第２固定接点に接触しており且つ前記キートップの移動に応じて前記初期位置から移動し、前記第１、第２固定接点の少なくとも一方と非接触となる構成とすることが可能である。
【００１０】
これらの態様のプッシュスイッチによる場合、第１、第２固定接点が第１、第２基板に突き刺さることによって、第１、第２基板が第１、第２固定接点により保持されると共に、第１、第２固定接点が第１、第２基板に電気的に接続される。よって、第１、第２基板の位置固定が容易になると共に、第１、第２固定接点の第１、第２基板に対する接続が容易になる。
【００１１】
前記ボディは、前記第１、第２固定接点を部分的に保持する構成とすることが可能である。前記第１、第２固定接点は、前記ボディ外に配置され且つ前記第１、第２基板に突き刺さった接続部を有する構成とすることが可能である。
【００１２】
このような態様のプッシュスイッチによる場合、第１、第２固定接点の接続部がボディ外に配置され、第１、第２基板に突き刺さっている。よって、ボディの第１、第２保持部に第１、第２基板を保持させると共に、第１、第２固定接点の接続部を第１、第２基板に突き刺し、電気的に接続することができる。
【００１３】
前記第２保持部は、前記第１保持部上に設けられており且つ前記第１方向に延びた複数の支柱を有する構成とすることが可能である。前記第２基板は、前記支柱上に保持された構成とすることが可能である。前記第１基板は、前記支柱に当接するように前記第１保持部上に載置され且つ当該支柱に位置固定された構成とすることが可能である。
【００１４】
このような態様のプッシュスイッチによる場合、第１基板を第１保持部上に載置すると共に、支柱に当接させることにより、当該第１基板が当該支柱に位置決め固定される。よって、第１基板の位置決め固定が容易になる。
【００１５】
前記第１基板は、前記支柱が前記第１方向に移動自在に嵌合するガイド凹部を有する構成とすることが可能である。
【００１６】
このような態様のプッシュスイッチによる場合、第１基板のガイド凹部に支柱を嵌合させ、第１方向に移動させることにより、第１基板が第１方向に移動可能となっている。すなわち、第１基板が支柱により第１方向に移動し、第１保持部上に載置されるように案内される。よって、第１基板の第１保持部上の設置及び位置決め固定が容易になる。
【図面の簡単な説明】
【００１７】
【図１Ａ】本発明の実施例に係るプッシュスイッチの正面、平面及び右側面から表した斜視図である。
【図１Ｂ】前記プッシュスイッチの正面、底面及び左側面から表した斜視図である。
【図２Ａ】前記プッシュスイッチの図１Ａ中の２Ａ−２Ａ断面図であって、キートップを押下移動させる前の初期状態を示す図である。
【図２Ｂ】前記プッシュスイッチの図１Ａ中の２Ａ−２Ａ断面図であって、キートップを押下移動させた押下状態を示す図である。
【図２Ｃ】前記プッシュスイッチの図１Ａ中の２Ｃ−２Ｃ断面図であって、キートップを押下移動させる前の初期状態を示す図である。
【図２Ｄ】前記プッシュスイッチの図１Ａ中の２Ｃ−２Ｃ断面図であって、キートップを押下移動させた押下状態を示す図である。
【図３Ａ】前記プッシュスイッチの正面、平面及び右側面から表した分解斜視図である。
【図３Ｂ】前記プッシュスイッチの背面、平面及び左側面から表した分解斜視図である。
【図４】前記プッシュスイッチのボディ、スイッチの固定接点、端子、第１、第２基板及び電子部品の正面、平面及び右側面から表した斜視図である。
【図５Ａ】前記プッシュスイッチのスイッチの固定接点及び端子の正面、平面及び右側面から表した斜視図である。
【図５Ｂ】前記プッシュスイッチのスイッチの固定接点及び端子の背面、平面及び左側面から表した斜視図である。
【発明を実施するための形態】
【００１８】
以下、本発明の実施例に係るプッシュスイッチについて図１Ａ〜図５Ｂを参照しつつ説明する。図１Ａ〜図１Ｂに示すプッシュスイッチは、キートップ１００が第１方向Ｚに押下操作されることにより、Ｐマーク１１０が点灯するパーキングスイッチである。前記プッシュスイッチは、キートップ１００と、スライダ２００と、ボディ３００ａと、ケース３００ｂと、スイッチＳ１、Ｓ２と、端子Ｔ1、Ｔ２、Ｔ３、Ｔ４、Ｔ５、Ｔ６、Ｔ７、Ｔ８と、第１、第２基板４００ａ、４００ｂと、電子部品５００ａ、５００ｂと、一対の第１、第２回路部６００ａ、６００ｂと、レンズ７００ａと、遮光ブロック７００ｂと、復帰用のコイルスプリング８００と、操作感発生部９００とを備えている。以下、プッシュスイッチの各構成要素について詳しく説明する。なお、図２Ａ〜図３Ｂに示す第１方向Ｚは、プッシュスイッチの高さ方向及びキートップ１００の操作移動方向である。図２Ｃ〜図３Ｂに示す第２方向Ｘはプッシュスイッチの幅方向である。図２Ａ〜図２Ｂ及び図３Ａ〜図３Ｂに示す第３方向Ｙは、プッシュスイッチの奥行き方向である。第２方向Ｘは、第１方向Ｚに直交し、第３方向Ｙは第１、第２方向Ｚ、Ｘに直交している。
【００１９】
ボディ３００ａは絶縁樹脂で構成されている。ボディ３００ａは、図３Ａ〜図４に示すように、メインボディ３１０ａと、第１保持部３２０ａと、第２保持部３３０ａと、第３保持部３４０ａとを有している。
【００２０】
メインボディ３１０ａは略矩形状の板である。メインボディ３１０ａの内面の上端部（第１方向Ｚの一方側の端部）には、略矩形状の凹部３１１ａが設けられている。凹部３１１ａは、上側（第１方向Ｚの一方側）に開放されている。メインボディ３１０ａの内面の凹部３１１ａの下側（第１方向Ｚの他方側）の第２方向Ｘの両端部には、略矩形状の凹部３１２ａ、３１３ａが設けられている。
【００２１】
第１保持部３２０ａは、図２Ａ〜図２Ｄ及び図４に示すように、プレート３２１ａと、一対の台座３２２ａと、ストッパ３２３ａとを有している。プレート３２１ａは、メインボディ３１０ａの内面の凹部３１１ａと凹部３１２ａ、３１３ａとの間に一体的に設けられた略矩形状の板であって、第３方向Ｙの一方側に延びている。台座３２２ａは、プレート３２１ａの第２方向Ｘの両端部に設けられた四角柱であって、第３方向Ｙに延びている。ストッパ３２３ａは、プレート３２１ａの先端面（第３方向Ｙの一方側の端面）の中央部に設けられた略矩形状の突起である。プレート３２１ａの先端面のストッパ３２３ａの第２方向Ｘの一方側には、取付凹部３２１ａ１が設けられている。プレート３２１ａの先端面のストッパ３２３ａの第２方向Ｘの他方側には、取付凹部３２１ａ２、３２１ａ３が第２方向Ｘに間隔をあけて設けられている。
【００２２】
第２保持部３３０ａは、４つの支柱３３１ａを有している。支柱３３１ａは、プレート３２１ａ上の台座３２２ａの第３方向Ｙの両側に立設され且つ第１方向Ｚの一方側に延びた四角柱である。支柱３３１ａの上端面（第１方向Ｚの一方側の面）には、突起３３１ａ１が設けられている。
【００２３】
第３保持部３４０ａは、メインボディ３１０ａの内面の下端部（第１方向Ｚの他方側の端部）に一体的に設けられており且つ第３方向Ｙの一方側に延びた略矩形状の板である。第３保持部３４０ａには、収容凹部３４１ａが設けられている。第３保持部３４０ａの先端面（第３方向Ｙの一方側の端面）の収容凹部３４１ａの第２方向Ｘの一方側には、取付凹部３４２ａが設けられている。第３保持部３４０ａの先端面の収容凹部３４１ａの第２方向Ｘの他方側には、取付凹部３４３ａ、３４４ａが第２方向Ｘに間隔をあけて設けられている。取付凹部３４２ａは、取付凹部３２１ａ１の鉛直線上に位置する。取付凹部３４３ａ、３４４ａは、取付凹部３２１ａ２、３２１ａ３の鉛直線上に位置している。
【００２４】
第１基板４００ａは、図２Ａ〜図４に示すように、第１保持部３２０ａに保持されている。第１基板４００ａは、一対の凸部４１０ａと、４つのガイド凹部４２０ａと、複数のスルーホール電極４３０ａと、図示しない複数の導電ラインと有している。凸部４１０ａは、第１基板４００ａの第２方向Ｘの両端部中央に凸設された略矩形状の板である。凸部４１０ａの第３方向Ｙの寸法が、第３方向Ｙおいて隣り合う支柱３３１ａの間の寸法と略同じになっている。各凸部４１０ａがボディ３００ａの第１保持部３２０ａの台座３２２ａ上に載置され且つ支柱３３１ａに当接している。すなわち、凸部４１０ａが支柱３３１ａにより位置固定されている。
【００２５】
ガイド凹部４２０ａは、第２基板４００ａの凸部４１０ａの第３方向Ｙの両側に設けられている。ガイド凹部４２０ａの内形は支柱３３１ａの外形に対応している。ガイド凹部４２０ａに支柱３３１ａが第１方向Ｚに移動自在に嵌合している。
【００２６】
スルーホール電極４３０ａのうちの３つのスルーホール電極４３０ａが、図３Ａ及び図３Ｂに示すように、第２基板４００ａの第３方向Ｙの一方側の端部に第２方向Ｘに間隔をあけて設けられている。残りのスルーホール電極４３０ａは、第２基板４００ａの第３方向Ｙの他方側の端部に第２方向Ｘに間隔をあけて設けられている。
【００２７】
第１基板４００ａ上には一対の第１回路部６００ａが設けられている。一対の第１回路部６００ａのうちの一方の第１回路部６００ａは、スイッチＳ１の保護回路である。他方の第１回路部６００ａはスイッチＳ２の保護回路である。第１基板４００ａの導電ラインが、スルーホール電極４３０ａと第１回路部６００ａとを電気的に接続している。
【００２８】
第２基板４００ｂは、図２Ａ〜図４に示すように、第２保持部３３０ａに第１基板４００ａと第１方向Ｚに間隔をあけて保持されている。第２基板４００ｂは、一対の嵌合孔４１０ｂと、一対の嵌合凹部４２０ｂと、複数のスルーホール電極４３０ｂと、図示しない複数の導電ラインとを有している。嵌合孔４１０ｂは、第２基板４００ｂの第３方向Ｙの一方側の両角部に設けられている。嵌合凹部４２０ｂは、第２基板４００ｂの第３方向Ｙの他方側の両角部に設けられている。嵌合孔４１０ｂ及び嵌合凹部４２０ｂに第２保持部３３０ａの突起３３１ａ１が嵌合し、第２基板４００ｂが第２保持部３３０ａの支柱３３１ａ上で保持されている。この状態で、第２基板４００ｂが第１基板４００ａの第１方向Ｚの一方側に間隔をあけて配置されている。
【００２９】
スルーホール電極４３０ｂのうちの３つのスルーホール電極４３０ｂが、第２基板４００ｂの第３方向Ｙの一方側の端部に第２方向Ｘに間隔をあけて設けられている。３つのスルーホール電極４３０ｂの中心は、上記３つのスルーホール電極４３０ａの中心の鉛直線上（上側）に位置している。残りのスルーホール電極４３０ｂは、第２基板４００ｂの第３方向Ｙの他方側の端部に第２方向Ｘに間隔をあけて設けられている。残りのスルーホール電極４３０ｂの中心は、上記残りのスルーホール電極４３０ａの中心の鉛直線上（上側）に位置している。
【００３０】
第２基板４００ｂ上には、電子部品５００ａ、５００ｂと、一対の第２回路部６００ｂとが設けられている。電子部品５００ａ、５００ｂはＬＥＤ（Light Emitting Diode）である。一対の第２回路部６００ｂのうちの一方の第２回路部６００ｂは、スイッチＳ１がオンとなることにより電子部品５００ａを点灯させための照明回路である。他方の第２回路部６００ｂは、スイッチＳ２がオンとなることにより電子部品５００ｂを点灯させるための照明回路である。第２基板４００ｂの導電ラインが、電子部品５００ａ、５００ｂとスルーホール電極４３０ｂとの間、電子部品５００ａ、５００ｂと第２回路部６００ｂとの間及びスルーホール電極４３０ｂと第２回路部６００ｂとの間を電気的に接続している。
【００３１】
スイッチＳ１は、ノーマルクローズ型のスイッチである。スイッチＳ１は、図３Ａ〜図５Ｂに示すように、第１、第２固定接点Ｓ１１、Ｓ１２と、可動接点Ｓ１３とを有している。第１、第２固定接点Ｓ１１、Ｓ１２は、金属板で構成された端子である。可動接点Ｓ１３は、金属板で構成されたスライダである。
【００３２】
第１固定接点Ｓ１１は、図５Ａ〜図５Ｂに示すように、接続部Ｓ１１ａと、折り曲げ部Ｓ１１ｂと、埋設部Ｓ１１ｃと、接点部Ｓ１１ｄとを有している。埋設部Ｓ１１ｃは、第１、第２板を有する略Ｌ字状の板である。埋設部Ｓ１１ｃの第１板は、第１方向Ｚに延びている。埋設部Ｓ１１ｃの第２板は、前記第１板の下端部に連接され且つ第２方向Ｘの一方側に延びている。埋設部Ｓ１１ｃは、メインボディ３１０ａ内に埋め込まれている。
【００３３】
折り曲げ部Ｓ１１ｂは、第１、第２板を有する略Ｌ字状の板である。折り曲げ部Ｓ１１ｂの第１板は、埋設部Ｓ１１ｃの第１板の上端（第１方向Ｚの一方側の端）に連接され且つ第３方向Ｙの一方側に折り曲げられている。折り曲げ部Ｓ１１ｂの第１板は、メインボディ３１０ａ内に埋め込まれている。折り曲げ部Ｓ１１ｂの第２板は、前記第１板に連接され且つ第１方向Ｚの一方側に折り曲げられている。折り曲げ部Ｓ１１ｂの第２板の下端部がメインボディ３１０ａ内に埋め込まれている。折り曲げ部Ｓ１１ｂの第２板の上端部がメインボディ３１０ａから上方に突出し、メインボディ３１０ａの凹部３１１ａ内に配置されている。
【００３４】
接続部Ｓ１１ａは、折り曲げ部Ｓ１１ｂの前記第２板の上端（第１方向Ｚの一方側の端）に設けられた四角柱である。接続部Ｓ１１ａは、図４に示すように、メインボディ３１０ａの凹部３１１ａ内に配置されている。接続部Ｓ１１ａは、第１、第２基板４００ａ、４００ｂのスルーホール電極４３０ａ、４３０ｂに突き刺さり且つ半田接続されている。このようにして第１固定接点Ｓ１１は、第１、第２基板４００ａ、４００ｂ、一方の第１、第２回路部６００ａ、６００ｂ及び電子部品５００ａに電気的に接続されている。
【００３５】
接点部Ｓ１１ｄは、埋設部Ｓ１１ｃの第２板に連接され且つ下側（第１方向Ｚの他方側）に延びた矩形状の板である。接点部Ｓ１１ｄは、図２Ｃ及び図２Ｄに示すように、メインボディ３１０ａの凹部３１２ａの底面から露出するように当該メインボディ３１０ａに埋め込まれている。
【００３６】
第２固定接点Ｓ１２は、図５Ａ〜図５Ｂに示すように、接続部Ｓ１２ａと、折り曲げ部Ｓ１２ｂと、埋設部Ｓ１２ｃと、接点部Ｓ１２ｄとを有している。埋設部Ｓ１２ｃは、第１、第２板を有する略Ｌ字状の板である。埋設部Ｓ１２ｃの第１板は、第１方向Ｚに延びている。埋設部Ｓ１２ｃの第１板の第１方向Ｚの寸法は、埋設部Ｓ１１ｃの第１板よりも第１方向Ｚの寸法よりも大きい。埋設部Ｓ１２ｃの第２板は、前記第１板に連接され且つ第２方向Ｘの一方側に延びている。埋設部Ｓ１２ｃは、埋設部Ｓ１１ｃ及び接点部Ｓ１１ｄの第２方向Ｘの他方側に位置するようにメインボディ３１０ａ内に埋め込まれている。
【００３７】
折り曲げ部Ｓ１２ｂは、第１、第２板を有する略Ｌ字状の板である。折り曲げ部Ｓ１２ｂの第１板は、埋設部Ｓ１２ｃの第１板の上端（第１方向Ｚの一方側の端）に連接され且つ第３方向Ｙの一方側に折り曲げられている。折り曲げ部Ｓ１２ｂの第１板は、折り曲げ部Ｓ１１ｂの第１板の第２方向Ｘの他方側に位置するように、メインボディ３１０ａ内に埋め込まれている。折り曲げ部Ｓ１２ｂの第２板は、前記第１板に連接され且つ第１方向Ｚの一方側に折り曲げられている。折り曲げ部Ｓ１２ｂの第２板の下端部は、折り曲げ部Ｓ１１ｂの第２板の下端部の第２方向Ｘの他方側に位置するように、メインボディ３１０ａ内に埋め込まれている。折り曲げ部Ｓ１２ｂの第２板の上端部がメインボディ３１０ａから上方に突出し、メインボディ３１０ａの凹部３１１ａ内の折り曲げ部Ｓ１１ｂの第２板の上端部の第２方向Ｘの他方側に配置されている。
【００３８】
接続部Ｓ１２ａは、折り曲げ部Ｓ１２ｂの前記第２板の上端（第１方向Ｚの一方側の端）に設けられた四角柱である。接続部Ｓ１２ａは、メインボディ３１０ａの凹部３１１ａ内の接続部Ｓ１１ａの第２方向Ｘの他方側に配置されている。接続部Ｓ１２ａは、第１、第２基板４００ａ、４００ｂのスルーホール電極４３０ａ、４３０ｂに突き刺さり且つ半田接続されている。このようにして第２固定接点Ｓ１２は、第１、第２基板４００ａ、４００ｂ、一方の第１、第２回路部６００ａ、６００ｂ及び電子部品５００ａに電気的に接続されている。
【００３９】
接点部Ｓ１２ｄは、埋設部Ｓ１２ｃの第２板に連接され且つ下側（第１方向Ｚの他方側）に延びた矩形状の板である。接点部Ｓ１２ｄは、図２Ｃ及び図２Ｄに示すように、メインボディ３１０ａの凹部３１２ａの底面から露出するように当該メインボディ３１０ａに埋め込まれている。接点部Ｓ１２ｄは、接点部Ｓ１１ｄの第２方向Ｘの他方側に配置されている。接点部Ｓ１２ｄの第１方向Ｚの寸法は、接点部Ｓ１１ｄの第１方向Ｚの寸法よりも大きい。すなわち、接点部Ｓ１２ｄは、接点部Ｓ１１ｄよりも第１方向Ｚの他方側に延びている。
【００４０】
可動接点Ｓ１３は、図２Ｃ〜図３Ｂに示すように、固着板Ｓ１３ａと、摺動アームＳ１３ｂ、Ｓ１３ｃとを有している。固着板Ｓ１３ａは、スライダ２００に固着された矩形状の板である。摺動アームＳ１３ｂ、Ｓ１３ｃは、固着板Ｓ１３ａに連接されており且つ略平行に延びている。摺動アームＳ１３ｂ、Ｓ１３ｃは、円弧状に湾曲した先端部を有している。可動接点Ｓ１３は、図２Ｃに示すように初期位置において、摺動アームＳ１３ｂ、Ｓ１３ｃの先端部が第１、第２固定接点Ｓ１１、１２の接点部Ｓ１１ｄ、Ｓ１２ｄに接触している。これにより、スイッチＳ１がオンとなり、一方の第２回路部６００ｂが電子部品５００ａを点灯させる。キートップ１００及びスライダ２００の移動に応じて、可動接点Ｓ１３が初期位置から可動位置へ移動し、摺動アームＳ１３ｂ、Ｓ１３ｃの先端部が凹部３１２ａの底面上を摺動する。図２Ｄに示すように可動接点Ｓ１３が可動位置に位置したとき、摺動アームＳ１３ｃの先端部は第２固定接点１２の接点部Ｓ１２ｄに接触した状態が維持されるが、摺動アームＳ１３ｂの先端部は第１固定接点Ｓ１１の接点部Ｓ１１ｄと非接触となる。このため、スイッチＳ１がオフとなり、一方の第２回路部６００ｂが電子部品５００ａを消灯させる。
【００４１】
スイッチＳ２は、ノーマルオープン型のスイッチである。スイッチＳ２は、図３Ａ〜図５Ｂに示すように、第１、第２固定接点Ｓ２１、Ｓ２２と、可動接点Ｓ２３とを有している。第１、第２固定接点Ｓ２１、Ｓ２２は、金属板で構成された端子である。
【００４２】
第１固定接点Ｓ２１は、図５Ａ〜図５Ｂに示すように、埋設部Ｓ２１ｃ及び接点部Ｓ２１ｄの形状が、スイッチＳ１の第１固定接点Ｓ１１の埋設部Ｓ１１ｃ及び接点部Ｓ１１ｄの形状と相違している以外、第１固定接点Ｓ１１と略同じ形状である。接続部Ｓ２１ａは、第１、第２基板４００ａ、４００ｂのスルーホール電極４３０ａ、４３０ｂに突き刺さり且つ半田接続されている。このようにして第１固定接点Ｓ２１は、第１、第２基板４００ａ、４００ｂ、他方の第１、第２回路部６００ａ、６００ｂ及び電子部品５００ｂに電気的に接続されている。なお、図５Ａ及び図５Ｂに示すＳ２１ｂは第１固定接点の折り曲げ部である。
【００４３】
埋設部Ｓ２１ｃは、第１、第２、第３板を有する板である。埋設部Ｓ２１ｃの第１板は、第１方向Ｚに延びている。埋設部Ｓ２１ｃの第２板は、前記第１板の下端部に連接され且つ第２方向Ｘの他方側に延びている。埋設部Ｓ２１ｃの第３板は、前記第２板の第２方向Ｘの他方側の端部に連接され且つ下側（第１方向Ｚの他方側）に延びている。埋設部Ｓ２１ｃは、メインボディ３１０ａ内に埋め込まれている。
【００４４】
接点部Ｓ２１ｄは、埋設部Ｓ２１ｃの第３板の下端部に連接され且つ第２方向Ｘの一方側に延びた矩形状の板である。接点部Ｓ２１ｄは、図２Ｃ及び図２Ｄに示すように、メインボディ３１０ａの凹部３１３ａの底面から露出するように当該メインボディ３１０ａに埋め込まれている。
【００４５】
第２固定接点Ｓ２２は、図５Ａ〜図５Ｂに示すように、第２固定接点Ｓ１２の略対称形状である。第２固定接点Ｓ２２の埋設部Ｓ２２ｃは、埋設部Ｓ２１ｃの第２方向Ｘの一方側に位置するようにメインボディ３１０ａ内に埋め込まれている。第２固定接点Ｓ２２の折り曲げ部Ｓ２２ｂは、第１板及び第２板の下端部が、折り曲げ部Ｓ２１ｂの第１板及び第２板の下端部の第２方向Ｘの一方側に位置するように、メインボディ３１０ａ内に埋め込まれている。折り曲げ部Ｓ１１ｂの第２板の上端部がメインボディ３１０ａから上方に突出し、メインボディ３１０ａの凹部３１１ａ内で折り曲げ部Ｓ２１ｂの第２板の上端部の第２方向Ｘの一方側に配置されている。第２固定接点Ｓ２２の接続部Ｓ２２ａは、メインボディ３１０ａの凹部３１１ａ内で接続部Ｓ２１ａの第２方向Ｘの一方側に配置されている。接続部Ｓ２２ａは、第１、第２基板４００ａ、４００ｂのスルーホール電極４３０ａ、４３０ｂに突き刺さり且つ半田接続されている。このようにして第２固定接点Ｓ２２は、第１、第２基板４００ａ、４００ｂ、他方の第１、第２回路部６００ａ、６００ｂ及び電子部品５００ｂに電気的に接続されている。第２固定接点Ｓ２２の接点部Ｓ２２ｄは、図２Ｃ及び図２Ｄに示すように、メインボディ３１０ａの凹部３１３ａの底面から露出するように当該メインボディ３１０ａに埋め込まれている。接点部Ｓ２２ｄは、接点部Ｓ２１ｄの第２方向Ｘの一方側に配置されている。
【００４６】
可動接点Ｓ２３は、図２Ｃ及び図２Ｄに示すように、スイッチＳ１の可動接点Ｓ１３と同じ構成である。可動接点Ｓ２３は、初期位置において、摺動アームＳ２３ｃの先端部が第２固定接点２２の接点部Ｓ２２ｄに接触する一方、摺動アームＳ２３ｂの先端部が第１固定接点Ｓ２１の接点部Ｓ２１ｄと非接触となっている。このため、スイッチＳ２がオフとなり、他方の第２回路部６００ｂが電子部品５００ｂを消灯させる。キートップ１００及びスライダ２００の移動に応じて、可動接点Ｓ２３が初期位置から可動位置へ移動し、摺動アームＳ２３ｂ、Ｓ２３ｃの先端部が凹部３１３ａの底面上を摺動する。可動接点Ｓ２３が可動位置に位置したとき、摺動アームＳ２３ｂ、Ｓ２３ｃの先端部が第１、第２固定接点Ｓ２１、２２の接点部Ｓ２１ｄ、Ｓ２２ｄに接触する。これにより、スイッチＳ２がオンとなり、他方の第２回路部６００ｂが電子部品５００ｂを点灯させる。なお、図２Ｃ及び図２Ｄに示すＳ２３ａは可動接点の固着板である。
【００４７】
端子Ｔ１、Ｔ２、Ｔ３、Ｔ４、Ｔ５は、金属板で構成されている。端子Ｔ１、Ｔ２、Ｔ３、Ｔ４、Ｔ５は、図４に示すように、メインボディ３１０ａ内のスイッチＳ１の第２固定接点Ｓ１２とスイッチＳ２の第２固定接点Ｓ２２との間に第２方向Ｘに間隔をあけて部分的に埋め込まれている。すなわち、第１、第２固定接点Ｓ１１、Ｓ１２、端子Ｔ１、Ｔ２、Ｔ３、Ｔ４、Ｔ５及び第２、第１固定接点Ｓ２２、Ｓ２１が、この順でメインボディ３１０ａ内に第２方向Ｘに間隔をあけて部分的に埋め込まれている。
【００４８】
端子Ｔ１は、図５Ａ及び図５Ｂに示すように、接続部Ｔ１１と、第１折り曲げ部Ｔ１２と、埋設部Ｔ１３と、第２折り曲げ部Ｔ１４と、テール部Ｔ１５とを有している。第１折り曲げ部Ｔ１２は、スイッチＳ１の第２固定接点Ｓ１２の折り曲げ部Ｓ１２ｂと同じ形状である。第１折り曲げ部Ｔ１２の第１板は、折り曲げ部Ｓ１２ｂの第１板の第２方向Ｘの他方側に位置するように、メインボディ３１０ａ内に埋め込まれている。第１折り曲げ部Ｔ１２の第２板の下端部は、折り曲げ部Ｓ１２ｂの第２板の下端部の第２方向Ｘの他方側に位置するように、メインボディ３１０ａ内に埋め込まれている。第１折り曲げ部Ｔ１２の第２板の上端部は、メインボディ３１０ａから上方に突出し、メインボディ３１０ａの凹部３１１ａ内で折り曲げ部Ｓ１２ｂの第１板の上端部の第２方向Ｘの他方側に配置されている。
【００４９】
接続部Ｔ１１は、スイッチＳ１の第２固定接点Ｓ１２の接続部Ｓ１２ａと同じ形状である。接続部Ｔ１１は、接続部Ｓ１２ａの第２方向Ｘの他方側に位置するように、メインボディ３１０ａの凹部３１１ａ内に配置されている。接続部Ｔ１１は、第１、第２基板４００ａ、４００ｂのスルーホール電極４３０ａ、４３０ｂに突き刺さり且つ半田接続されている。このようにして端子Ｔ１は、第１、第２基板４００ａ、４００ｂ、一方の第１回路部６００ｂ及び電子部品５００ａに電気的に接続されている。すなわち、端子Ｔ１は、電子部品５００ａ用の第２回路部６００ｂ（照明回路）の一部を構成している。
【００５０】
埋設部Ｔ１３は、第１折り曲げ部Ｔ１２に連接され且つ下側（第１方向Ｚの他方側）に延びた略矩形状の板である。埋設部Ｔ１３は、第２固定接点Ｓ１２の埋設部Ｓ１２Ｃ及び接点部Ｓ１２ｄの第２方向Ｘの他方側に位置するようにメインボディ３１０ａ内に埋め込まれている。第２折り曲げ部Ｔ１４は、埋設部Ｔ１３の下端に連接され且つ第３方向Ｙの一方側に直角に折り曲げられた矩形状の板である。第２折り曲げ部Ｔ１４は、メインボディ３１０ａ及び第３保持部３４０ａ内に埋め込まれている。テール部Ｔ１５は、第２折り曲げ部Ｔ１４の第３方向Ｙの一方側の端に連接され且つ下側（第１方向Ｚの他方側）に延びた略矩形状の板である。テール部Ｔ１５は、第３保持部３４０ａから下側（第１方向Ｚの他方側）に突出している。
【００５１】
端子Ｔ２は、図５Ａ及び図５Ｂに示すように、接続部Ｔ２１と、第１折り曲げ部Ｔ２２と、埋設部Ｔ２３と、第２折り曲げ部Ｔ２４と、テール部Ｔ２５とを有している。第１折り曲げ部Ｔ２２は、スイッチＳ１の第２固定接点Ｓ１２の折り曲げ部Ｓ１２ｂと同じ形状である。第１折り曲げ部Ｔ２２の第１板は、折り曲げ部Ｔ１１の第１板の第２方向Ｘの他方側に位置するように、メインボディ３１０ａ内に埋め込まれている。第１折り曲げ部Ｔ２２の第２板の下端部は、折り曲げ部Ｔ１１の第２板の下端部の第２方向Ｘの他方側に位置するように、メインボディ３１０ａ内に埋め込まれている。第１折り曲げ部Ｔ２２の第２板の上端部は、メインボディ３１０ａから上方に突出し、メインボディ３１０ａの凹部３１１ａ内で折り曲げ部Ｔ１１の第１板の上端部の第２方向Ｘの他方側に配置されている。
【００５２】
接続部Ｔ２１は、スイッチＳ１の第２固定接点Ｓ１２の接続部Ｓ１２ａと同じ形状である。接続部Ｔ２１は、接続部Ｔ１１の第２方向Ｘの他方側に位置するように、メインボディ３１０ａの凹部３１１ａ内に配置されている。接続部Ｔ２１は、第１、第２基板４００ａ、４００ｂのスルーホール電極４３０ａ、４３０ｂに突き刺さり且つ半田接続されている。このようにして端子Ｔ２は、第１、第２基板４００ａ、４００ｂ、一方の第２回路部６００ｂ及び電子部品５００ａに電気的に接続されている。すなわち、端子Ｔ２は、電子部品５００ａ用の第２回路部６００ｂ（照明回路）の一部を構成している。
【００５３】
埋設部Ｔ２３は、第１折り曲げ部Ｔ２２に連接され且つ下側（第１方向Ｚの他方側）に延びた略矩形状の板である。埋設部Ｔ１３は、端子Ｔ１の埋設部Ｔ１３の第２方向Ｘの他方側に位置するようにメインボディ３１０ａ内に埋め込まれている。第２折り曲げ部Ｔ２４は、埋設部Ｔ２３の下端に連接され且つ第３方向Ｙの一方側に直角に折り曲げられた矩形状の板である。第２折り曲げ部Ｔ２４は、端子Ｔ１の第２折り曲げ部Ｔ１４の第２方向Ｘの他方側に位置するようにメインボディ３１０ａ及び第３保持部３４０ａ内に埋め込まれている。テール部Ｔ２５は、第２折り曲げ部Ｔ２４の第３方向Ｙの一方側の端に連接され且つ下側（第１方向Ｚの他方側）に延びた略矩形状の板である。テール部Ｔ２５は、第３保持部３４０ａから下側（第１方向Ｚの他方側）に突出している。テール部Ｔ２５は、端子Ｔ１のテール部Ｔ１５の第２方向Ｘの他方側に配置されている。
【００５４】
端子Ｔ３は、図５Ａ及び図５Ｂに示すように、接続部Ｔ３１と、第１折り曲げ部Ｔ３２と、埋設部Ｔ３３と、第２折り曲げ部Ｔ３４と、テール部Ｔ３５とを有している。第１折り曲げ部Ｔ３２は、スイッチＳ１の第２固定接点Ｓ１２の折り曲げ部Ｓ１２ｂと同じ形状である。第１折り曲げ部Ｔ３２の第１板は、折り曲げ部Ｔ２１の第１板の第２方向Ｘの他方側に位置するように、メインボディ３１０ａ内に埋め込まれている。第１折り曲げ部Ｔ３２の第２板の下端部は、折り曲げ部Ｔ２１の第２板の下端部の第２方向Ｘの他方側に位置するように、メインボディ３１０ａ内に埋め込まれている。第１折り曲げ部Ｔ３２の第２板の上端部は、メインボディ３１０ａから上方に突出し、メインボディ３１０ａの凹部３１１ａ内で折り曲げ部Ｔ２１の第１板の上端部の第２方向Ｘの他方側に配置されている。
【００５５】
接続部Ｔ３１は、スイッチＳ１の第２固定接点Ｓ１２の接続部Ｓ１２ａと同じ形状である。接続部Ｔ３１は、接続部Ｔ２１の第２方向Ｘの他方側に位置するように、メインボディ３１０ａの凹部３１１ａ内に配置されている。接続部Ｔ３１は、第１、第２基板４００ａ、４００ｂのスルーホール電極４３０ａ、４３０ｂに突き刺さり且つ半田接続されている。このようにして端子Ｔ３は、第１、第２基板４００ａ、４００ｂ、一方の第１回路部６００ａ及び電子部品５００ａに電気的に接続されている。すなわち、端子Ｔ３は、スイッチS１用の第１回路部６００ａ（保護回路）の一部を構成している。
【００５６】
埋設部Ｔ３３は、第１折り曲げ部Ｔ３２に連接され且つ下側（第１方向Ｚの他方側）に延びた略矩形状の板である。埋設部Ｔ３３は、端子Ｔ２の埋設部Ｔ２３の第２方向Ｘの他方側に位置するようにメインボディ３１０ａ内に埋め込まれている。第２折り曲げ部Ｔ３４は、埋設部Ｔ３３の下端に連接され且つ第３方向Ｙの一方側に直角に折り曲げられた矩形状の板である。第２折り曲げ部Ｔ３４は、端子Ｔ２の第２折り曲げ部Ｔ２４の第２方向Ｘの他方側に位置するようにメインボディ３１０ａ及び第３保持部３４０ａ内に埋め込まれている。テール部Ｔ３５は、第２折り曲げ部Ｔ３４の第３方向Ｙの一方側の端に連接され且つ下側（第１方向Ｚの他方側）に延びた略矩形状の板である。テール部Ｔ３５は、第３保持部３４０ａから下側（第１方向Ｚの他方側）に突出している。テール部Ｔ３５は、端子Ｔ２のテール部Ｔ２５の第２方向Ｘの他方側に配置されている。
【００５７】
端子Ｔ４は、図５Ａ及び図５Ｂに示すように、端子Ｔ２の対称形状である。端子Ｔ４の第１折り曲げ部Ｔ４２の第１板は、折り曲げ部Ｔ３１の第１板の第２方向Ｘの他方側に位置するように、メインボディ３１０ａ内に埋め込まれている。第１折り曲げ部Ｔ４２の第２板の下端部は、折り曲げ部Ｔ３１の第２板の下端部の第２方向Ｘの他方側に位置するように、メインボディ３１０ａ内に埋め込まれている。第１折り曲げ部Ｔ４２の第２板の上端部は、メインボディ３１０ａから上方に突出し、メインボディ３１０ａの凹部３１１ａ内で折り曲げ部Ｔ３１の第１板の上端部の第２方向Ｘの他方側に配置されている。
【００５８】
端子Ｔ４の接続部Ｔ４１は、接続部Ｔ３１の第２方向Ｘの他方側に位置するように、メインボディ３１０ａの凹部３１１ａ内に配置されている。接続部Ｔ４１は、第１、第２基板４００ａ、４００ｂのスルーホール電極４３０ａ、４３０ｂに突き刺さり且つ半田接続されている。このようにして端子Ｔ４は、第１、第２基板４００ａ、４００ｂ、一方の第１回路部６００ａ及び電子部品５００ａに電気的に接続されている。すなわち、端子Ｔ４は、スイッチS１用の第１回路部６００ａ（保護回路）の一部を構成している。
【００５９】
端子Ｔ４の埋設部Ｔ４３は、端子Ｔ３の埋設部Ｔ３３の第２方向Ｘの他方側に位置するようにメインボディ３１０ａ内に埋め込まれている。端子Ｔ４の第２折り曲げ部Ｔ４４は、端子Ｔ３の第２折り曲げ部Ｔ３４の第２方向Ｘの他方側に位置するようにメインボディ３１０ａ及び第３保持部３４０ａ内に埋め込まれている。端子Ｔ４のテール部Ｔ４５は、第３保持部３４０ａから下側（第１方向Ｚの他方側）に突出している。テール部Ｔ４５は、端子Ｔ３のテール部Ｔ３５の第２方向Ｘの他方側に配置されている。
【００６０】
端子Ｔ５は、図５Ａ及び図５Ｂに示すように、端子Ｔ１の対称形状である。端子Ｔ５の第１折り曲げ部Ｔ５２の第１板は、折り曲げ部Ｔ４１の第１板の第２方向Ｘの他方側に位置するように、メインボディ３１０ａ内に埋め込まれている。第１折り曲げ部Ｔ４２の第２板の下端部は、折り曲げ部Ｔ４１の第２板の下端部の第２方向Ｘの他方側に位置するように、メインボディ３１０ａ内に埋め込まれている。第１折り曲げ部Ｔ５２の第２板の上端部は、メインボディ３１０ａから上方に突出し、メインボディ３１０ａの凹部３１１ａ内で折り曲げ部Ｔ４１の第１板の上端部の第２方向Ｘの他方側に配置されている。
【００６１】
端子Ｔ５の接続部Ｔ５１は、接続部Ｔ４１の第２方向Ｘの他方側に位置するように、メインボディ３１０ａの凹部３１１ａ内に配置されている。接続部Ｔ５１は、第１、第２基板４００ａ、４００ｂのスルーホール電極４３０ａ、４３０ｂに突き刺さり且つ半田接続されている。このようにして端子Ｔ５は、第１、第２基板４００ａ、４００ｂ、他方の第１回路部６００ａ及び電子部品５００ｂに電気的に接続されている。すなわち、端子Ｔ５は、スイッチS２用の第１回路部６００ａ（保護回路）の一部を構成している。
【００６２】
端子Ｔ５の埋設部Ｔ５３は、端子Ｔ４の埋設部Ｔ４３の第２方向Ｘの他方側に位置するようにメインボディ３１０ａ内に埋め込まれている。端子Ｔ５の第２折り曲げ部Ｔ５４は、端子Ｔ４の第２折り曲げ部Ｔ４４の第２方向Ｘの他方側に位置するようにメインボディ３１０ａ及び第３保持部３４０ａ内に埋め込まれている。端子Ｔ５のテール部Ｔ５５は、第３保持部３４０ａから下側（第１方向Ｚの他方側）に突出している。テール部Ｔ５５は、端子Ｔ４のテール部Ｔ４５の第２方向Ｘの他方側に配置されている。
【００６３】
端子Ｔ６は、図３Ａ〜図４に示すように、金属板で構成されている。端子Ｔ６は、接続部Ｔ６１と、第１折り曲げ部Ｔ６２と、固定部Ｔ６３と、第２折り曲げ部Ｔ６４と、テール部Ｔ６５とを有している。固定部Ｔ６３は、第１方向Ｚに延びた矩形状の板である。固定部Ｔ６３は、メインボディ３１０ａの内面に設けられたボスに溶着されている。第１折り曲げ部Ｔ６２は、第１、第２板を有する略Ｌ字状の板である。第１折り曲げ部Ｔ６２の第１板は、固定部Ｔ６３の上端に連接され且つ第３方向Ｙの一方側に直角に折り曲げられている。第１折り曲げ部Ｔ６２の第２板は、前記第１板に連接され且つ上側（第１方向Ｚの一方側）に直角に折り曲げられている。第１折り曲げ部Ｔ６２の第２板が、第１保持部３２０ａの取付凹部３２１ａ１に嵌合している。
【００６４】
接続部Ｔ６１は、第１折り曲げ部Ｔ６２の前記第２板の上端（第１方向Ｚの一方側の端）に設けられた四角柱である。接続部Ｔ６１は、第１、第２基板４００ａ、４００ｂのスルーホール電極４３０ａ、４３０ｂに突き刺さり且つ半田接続されている。このようにして端子Ｔ６は、第１、第２基板４００ａ、４００ｂ、他方の第１回路部６００ａ及び電子部品５００ｂに電気的に接続されている。すなわち、端子Ｔ６は、スイッチS２用の第１回路部６００ａ（保護回路）の一部を構成している。
【００６５】
第２折り曲げ部Ｔ６４は、第１、第２板を有する略Ｌ字状の板である。第２折り曲げ部Ｔ６４の第１板は、固定部Ｔ６３の下端に連接され且つ第３方向Ｙの一方側に直角に折り曲げられている。第２折り曲げ部Ｔ６４の第２板は、前記第１板に連接され且つ下側（第１方向Ｚの他方側）に直角に折り曲げられている。第２折り曲げ部Ｔ６４の第２板が、第３保持部３４０ａの取付凹部３４２ａに嵌合している。テール部Ｔ６５は、第２折り曲げ部Ｔ６４の第３方向Ｙの一方側の端に連接され且つ下側（第１方向Ｚの他方側）に延びた略矩形状の板である。
【００６６】
端子Ｔ７、Ｔ８は、図３Ａ〜図４に示すように、端子Ｔ６と同形状の金属板である。図５Ａ及び図５Ｂに示すＴ７１及びＴ８１は接続部、Ｔ７２及びＴ８２は第１折り曲げ部、Ｔ７３及びＴ８３は固定部、Ｔ７４及びＴ８４は第２折り曲げ部、Ｔ７５及びＴ８５はテール部である。固定部Ｔ７３、８３は、メインボディ３１０ａの内面に設けられたボスに溶着されている。第１折り曲げ部Ｔ７２、８２の第２板が、第１保持部３２０ａの取付凹部３２１ａ２、３２１ａ３に嵌合している。第２折り曲げ部Ｔ７４、８４の第２板が、第３保持部３４０ａの取付凹部３４３ａ、３４４ａに嵌合している。接続部Ｔ７１、Ｔ８１は、第１、第２基板４００ａ、４００ｂのスルーホール電極４３０ａ、４３０ｂに突き刺さり且つ半田接続されている。このようにして端子Ｔ７、Ｔ８は、第１、第２基板４００ａ、４００ｂ、他方の第２回路部６００ｂ及び電子部品５００ｂに電気的に接続されている。すなわち、端子Ｔ７、Ｔ８は、電子部品５００ｂ用の第２回路部６００ｂ（照明回路）の一部を構成している。
【００６７】
ケース３００ｂは、ボディ３００ａに取り付けられている。ケース３００ｂは絶縁樹脂で構成されている。ケース３００ｂは、図３Ａ〜図３Ｂに示すように、ケース本体３１０ｂと、接続部３２０ｂとを有している。ケース本体３１０ｂは、前板３１１ｂと、一対の側板３１２ｂと、底板３１３ｂと、支持台３１４ｂとを有している。
【００６８】
底板３１３ｂは、略矩形状の板である。底板３１３ｂには、矩形状の貫通孔３１３ｂ１が設けられている。底板３１３ｂの上面の前端（第３方向Ｙの一方側の端）上には略矩形状の前板３１１ｂが立設されている。前板３１１ｂの内面には、一対のレール３１１ｂ１が第２方向Ｘに間隔をあけて設けられている。レール３１１ｂ１は、第１方向Ｚに延びた突脈である。底板３１３ｂの上面の両端（第２方向Ｘの両端）上に略矩形状の側板３１２ｂが立設されている。側板３１２ｂの前端（第３方向Ｙの一方側の端）と前板３１１ｂの第２方向Ｘの両端（第２方向Ｘの両端）とは一体化されている。側板３１２ｂの内面間の距離は、メインボディ３１０ａの第２方向Ｘの寸法と略同じであり且つスライダ２００の第２方向Ｘの寸法と略同じである。側板３１２ｂの内面には、第１方向Ｚに沿って延びたレール溝３１２ｂ１が設けられている。側板３１２ｂの内面の後端部には、複数の係止孔が設けられている。側板３１２ｂの係止孔に、メインボディ３１０ａの第２方向Ｘの両端の係止爪が嵌合することにより、ケース本体３１０ｂがメインボディ３１０ａに取り付けられている。この状態で、ボディ３００ａの第３保持部３４０ａが、図２Ａ〜図２Ｄに示すように、底板３１３ｂの貫通孔３１３ｂ１を塞ぐように配置されている。ケース本体３１０ｂとメインボディ３１０ａと第３保持部３４０ａとにより、図３Ｂに示すように、第１収容空間α１が区画されている。この第１収容空間α１内に、スライダ２００、スイッチＳ１、Ｓ２の可動接点Ｓ１３、Ｓ２３及びコイルスプリング８００が収容されている。
【００６９】
支持台３１４ｂは、図２Ｃ〜図２Ｄに示すように、底板３１３ｂ上の貫通孔３１３ｂ１の第３方向Ｙの一方側に設けられている。支持台３１４ｂは、第３保持部３４０ａの収容凹部３４１ａに連通する収容凹部３１４ｂ１を有している。収容凹部３４１ａ、３１４ｂ１に、コイルスプリング８００の長さ方向の第１端部が収容保持されている。
【００７０】
接続部３２０ｂは、図２Ａ〜図２Ｄに示すように、底板３１３ｂの下面に設けられた略角筒であって、図示しない相手方コネクタに接続可能な部位である。接続部３２０ｂの第３方向Ｙの他方側に、開口３２１ｂが設けられている。当該開口３２１ｂから、接続部３２０ｂ内に端子Ｔ１〜Ｔ８のテール部Ｔ１５〜Ｔ８５が挿入されている。テール部Ｔ１５〜Ｔ８５は、相手方コネクタのコンタクトに電気的に接続可能である。
【００７１】
スライダ２００は、ケース３００ｂに後述する原点位置から後述する押下位置にかけて第１方向Ｚにスライド移動自在に保持されている。スライダ２００は絶縁樹脂で構成されている。スライダ２００は、図３Ａ〜図３Ｂに示すように、天井部２１０と、前板２２０と、一対の側板２３０と、底部２４０と、クッション２５０とを有している。
【００７２】
前板２２０は、略矩形状の板である。側板２３０は、前板２２０の第２方向Ｘの両端に連接され且つ第３方向Ｙの他方側に延びた矩形状の板である。前板２２０及び側板２３０の内面の下部には、底部２４０が設けられている。天井部２１０は、前板２２０及び側板２３０の上端上に設けられた略矩形状のカップである。天井部２１０、前板２２０、側板２３０及び底部２４０により、図３Ｂに示すように、第２収容空間α２が区画されている。この第２収容空間α２に、第１、第２保持部３２０ａ、３３０ａ、第１、第２基板４００ａ、４００ｂ、電子部品５００ａ、５００ｂ、端子Ｔ６〜Ｔ８及び操作感発生部９００の後述するボール９２０及びコイルスプリング９３０が収容されている。
【００７３】
前板２２０の外面の第２方向Ｘの両端部には、図３Ａに示すように、第１方向Ｚに延びたレール溝２２１が設けられている。側板２３０の外面には、第１方向Ｚに延びたレール２３１が設けられている。レール２３１がケース３００ｂのレール溝３１２ｂ１に、ケース３００ｂのレール３１１ｂ１がレール溝２２１に第１方向Ｚに移動自在に嵌合している。これにより、スライダ２００が原点位置から押下位置にかけて移動可能となっている。
【００７４】
前板２２０の中央部には、矩形状の貫通孔２２２が設けられている。図２Ａ及び図２Ｂに示すように、貫通孔２２２に第１保持部３２０ａのストッパ３２３ａが挿入されている。また、前板２２０の貫通孔２２２の下側には、図３Ａに示すように、第１方向Ｚに延びた一対の取付溝２２３が設けられている。取付溝２２３の第１方向Ｚの一方側は、貫通孔２２２に連通している。取付溝２２３の第１方向Ｚの他方側は、開放されている。取付溝２２３にクッション２５０の第２方向Ｘの両端部が嵌合している。クッション２５０は、矩形状のフレームである。図２Ａに示すようにスライダ２００が原点位置に位置しているとき、クッション２５０が第１保持部３２０ａのストッパ３２３ａに弾性的に当接する。図２Ｂに示すようにスライダ２００が押下位置に位置しているとき、クッション２５０がケース３００ｂの支持台３１４ｂに弾性的に当接する。
【００７５】
天井部２１０には、孔２１１が設けられている。この孔２１１は、図２Ａ及び図２Ｂに示すように、電子部品５００ａ、５００ｂに対向配置されている。すなわち、電子部品５００ａ、５００ｂは、孔２１１を通じて第１方向Ｚの一方側に光を照射可能となっている。
【００７６】
底部２４０の下部中央には、図３Ａ及び図３Ｂに示すように、矩形状の収容凹部２４１が設けられている。収容凹部２４１の外形は、ケース３００ｂの支持台３１４ｂの外形よりも大きい。スライダ２００が押下位置に位置しているとき、図２Ｂに示すように、収容凹部２４１内に支持台３１４ｂが収容される。収容凹部２４１の底面には、円柱状の突起２４２が設けられている。突起２４２は、収容凹部３４１ａ、３１４ｂ１に対向している。突起２４２の外径は、コイルスプリング８００の内径よりも若干小さい。突起２４２が、収容凹部３４１ａ、３１４ｂ１に収容保持されたコイルスプリング８００の長さ方向の第２端部に嵌合している。スライダ２００が押下位置に位置したとき、コイルスプリング８００が、収容凹部２４１の底面（底部２４０）と収容凹部３４１ａ、３１４ｂ１の底面との間で圧縮される。これにより、コイルスプリング８００がスライダ２００に原点位置への復帰力を付与する。
【００７７】
底部２４０の第３方向Ｙの他方側の面の第２方向Ｘの両端には、図３Ｂに示すように、スイッチＳ１、Ｓ２の可動接点Ｓ１３、Ｓ２３の固着板Ｓ１３ａ、Ｓ２３ａが溶着されたボス２４３が設けられている。スライダ２００の原点位置は、スイッチＳ１、Ｓ２の可動接点Ｓ１３、Ｓ２３が上記初期位置に位置した位置である。スライダ２００の押下位置は、スイッチＳ１、Ｓ２の可動接点Ｓ１３、Ｓ２３が上記可動位置に位置した位置である。底部２４０の第３方向Ｙの他方側の面の中央部には、凹部が設けられている。前記凹部の底面には、円柱状の収容穴２４４が設けられている。
【００７８】
キートップ１００は、図２Ａ〜図３Ｂに示すように、スライダ２００の天井部２１０を覆うように当該天井部２１０に固着されている。キートップ１００は、スライダ２００と共に第１方向Ｚに移動可能となっている。キートップ１００は、Ｐマーク１１０と、開口１２０と、取付部１３０とを有している。Ｐマーク１１０は透光性を有する素材で構成されている。開口１２０は、図２Ａ〜図２Ｂに示すように、Ｐマーク１１０の第３方向Ｙの一方側に設けられている。開口１２０は、レンズ７００ａの後述する嵌合凸部７１０ａの外形に対応した形状となっている。取付部１３０は、図２Ａ〜図２Ｄに示すように、Ｐマーク１１０の下側に設けられた凹部である。取付部１３０の内形は、遮光ブロック７００ｂの外形に対応した形状となっている。
【００７９】
レンズ７００ａは、開口１２０に嵌合する嵌合凸部７１０を有している。レンズ７００ａは、電子部品５００ａ上に配置されている。このレンズ７００ａが、電子部品５００ａから照射された光をキートップ１００外に導いている。
【００８０】
遮光ブロック７００ｂは、遮光性を有する素材で構成された略矩形状のフレームであって、遮蔽板７１０ｂを有している。遮光ブロック７００ｂは、取付部１３０に嵌合しており、当該遮光ブロック７００ｂの内部が電子部品５００ｂ上に位置している。遮蔽板７１０ｂは、電子部品５００ａ、５００ｂとの間に位置している。すなわち、遮光ブロック７００ｂ内を、電子部品５００ｂから照射された光が通り、キートップ１００のＰマーク１１０を照らすようになっている。その一方で、前記光は、遮光ブロック７００ｂ及び遮蔽板７１０ｂにより、レンズ７００ａ側に漏れないように遮蔽されている。また、電子部品５００ａから照射された光も、遮光ブロック７００ｂ及び遮蔽板７１０ｂによりＰマーク１１０側に漏れないように遮光されている。
【００８１】
操作感発生部９００は、図２Ａ〜図２Ｄに示すように、突脈９１０と、ボール９２０と、コイルスプリング９３０とを有している。突脈９１０は、メインボディ３１０ａの内面上の第１保持部３２０ａと第３保持部３４０ａとの間に設けられており且つ第１方向Ｚに延びている。突脈９１０は、スライダ２００の底部２４０の収容穴２４４に対向配置されている。突脈９１０は段差９１１を有している。コイルスプリング９３０の外径は、スライダ２００の収容穴２４４よりも若干小さい。コイルスプリング９３０の長さ寸法は、収容穴２４４の深さ寸法よりも大きい。コイルスプリング９３０の長さ方向の第１端部が収容穴２４４に収容され、長さ方向の第２端部が収容穴２４４から突出している。ボール９２０の直径はコイルスプリング９３０の外形よりも若干大きい。ボール９２０がコイルスプリング９３０の第２端部に部分的に嵌合している。ボール９２０の直径及びコイルスプリング９３０の長さ寸法の和は、収容穴２４４の底面から突脈９１０までの第３方向Ｙの距離よりも大きい。このため、ボール９２０がコイルスプリング９３０により、突脈９１０に弾性的に押し付けられている。スライダ２００が原点位置から押下位置へ移動するときに、ボール９２０が突脈９１０の段差９１１を乗り越える。これにより、キートップ１００の押下操作に操作感が発生する。
【００８２】
以下、上述した構成のプッシュスイッチの製造方法について詳しく説明する。まず、スイッチＳ１の第１、第２固定接点Ｓ１１、Ｓ１２、端子Ｔ１〜Ｔ５及びスイッチＳ２の第１、第２固定接点Ｓ２１、Ｓ２２を用意する。その後、第１、第２固定接点Ｓ１１、Ｓ１２の折り曲げ部、埋設部及び接点部と、端子Ｔ１〜Ｔ５の第１、第２折り曲げ部及び埋設部と、第１、第２固定接点Ｓ２１、Ｓ２２の折り曲げ部、埋設部及び接点部とを、図示しない金型内に間隔をあけて収容させる。このとき、第１、第２固定接点Ｓ１１、Ｓ１２、端子Ｔ１〜Ｔ５及び第２、第１固定接点Ｓ２２、Ｓ２１が、この順で第２方向Ｘに間隔をあけて配置される。その後、金型内に樹脂を流し込み、第１、第２固定接点Ｓ１１、Ｓ１２の折り曲げ部、埋設部及び接点部と、端子Ｔ１〜Ｔ５の第１、第２折り曲げ部及び埋設部と、第１、第２固定接点Ｓ２１、Ｓ２２の折り曲げ部、埋設部及び接点部とを樹脂内に埋め込む。前記樹脂がボディ３００ａのメインボディ３１０ａ、第１、第２、第３保持部３２０ａ、３３０ａ、３４０ａ及び突脈９１０として成形される。
【００８３】
このとき、ボディ３００ａのメインボディ３１０ａに第１、第２固定接点Ｓ１１、Ｓ１２の折り曲げ部、埋設部及び接点部と、端子Ｔ１〜Ｔ５の第１折り曲げ部及び埋設部と、第１、第２固定接点Ｓ２１、Ｓ２２の折り曲げ部、埋設部及び接点部とがインサート成形される。第１、第２固定接点Ｓ１１、Ｓ１２の接続部と、端子Ｔ１〜Ｔ５の接続部と、第１、第２固定接点Ｓ２１、Ｓ２２の接続部とがメインボディ３１０ａの凹部３１１ａ内に配置される。第１、第２固定接点Ｓ１１、Ｓ１２の接点部が、メインボディ３１０ａの凹部３１２ａから露出し、第１、第２固定接点Ｓ２１、Ｓ２２の接点部が、メインボディ３１０ａの凹部３１３ａから露出する。ボディ３００ａのメインボディ３１０ａ及び第３保持部３４０ａに端子Ｔ１〜Ｔ５の第２折り曲げ部がインサート成形される。
【００８４】
その後、端子Ｔ６〜Ｔ８を用意する。その後、端子Ｔ６〜Ｔ８の第１折り曲げ部を、第１保持部３２０ａの取付凹部３２１ａ１〜３２１ａ３に嵌合させると共に、端子Ｔ６〜Ｔ８の第２折り曲げ部を、第３保持部３４０ａの取付凹部３４２ａ〜３４４ａに嵌合させる。すると、端子Ｔ６〜Ｔ８の固定部がメインボディ３１０ａの内面に当接する。メインボディ３１０ａの内面上のボスに端子Ｔ６〜Ｔ８の固定部が固着される。
【００８５】
その後、第１回路部６００ａが設けられた第１基板４００ａを用意する。その後、第１基板４００ａのガイド凹部４２０ａを第２保持３３０ａの支柱３３１ａに嵌合させる。すると、第１基板４００ａの一対の凸部４１０ａが支柱３３１ａに当接する。この状態で、第１基板４００ａを、支柱３３１ａに沿って第１方向Ｚの他方側に移動させる。すると、第１基板４００ａの一対の凸部４１０ａが第１保持部３２０ａの台座３２２ａ上に載置され且つ支柱３３１ａに位置決め固定される。このとき、第１基板４００ａのスルーホール電極４３０ａに、第１、第２固定接点Ｓ１１、Ｓ１２の接続部と、端子Ｔ１〜Ｔ８の接続部と、第１、第２固定接点Ｓ２１、Ｓ２２の接続部と、端子Ｔ６〜Ｔ８の接続部とが貫通する（すなわち、突き刺さる）。その後、第１基板４００ａのスルーホール電極４３０ａに、第１、第２固定接点Ｓ１１、Ｓ１２の接続部と、端子Ｔ１〜Ｔ８の接続部と、第１、第２固定接点Ｓ２１、Ｓ２２の接続部と、端子Ｔ６〜Ｔ８の接続部とが半田付けされる。このようにして第１基板４００ａ上の第１回路部６００ａが、スイッチＳ１の第１、第２固定接点Ｓ１１、Ｓ１２、スイッチＳ２の第１、第２固定接点Ｓ２１、Ｓ２２及び端子Ｔ３〜Ｔ６に電気的に接続される。
【００８６】
その後、第２回路部６００ｂ及び電子部品５００ａ、５００ｂが設けられた第２基板４００ｂを用意する。その後、第２基板４００ｂの一対の嵌合孔４１０ｂ及び一対の嵌合凹部４２０ｂに、支柱３３１ａの突起３３１ａ１を嵌合させる。これにより、第２基板４００ｂが第２保持部３３０ａの支柱３３１ａ上で保持される。このとき、第２基板４００ｂのスルーホール電極４３０ｂに、第１、第２固定接点Ｓ１１、Ｓ１２の接続部と、端子Ｔ１〜Ｔ８の接続部と、第１、第２固定接点Ｓ２１、Ｓ２２の接続部と、端子Ｔ６〜Ｔ８の接続部とが貫通する（すなわち、突き刺さる）。その後、第２基板４００ｂのスルーホール電極４３０ｂに、第１、第２固定接点Ｓ１１、Ｓ１２の接続部と、端子Ｔ１〜Ｔ８の接続部と、第１、第２固定接点Ｓ２１、Ｓ２２の接続部と、端子Ｔ６〜Ｔ８の接続部とが半田付けされる。このようにして第２基板４００ｂ上の一方の第２回路部６００ｂ及び電子部品５００ａが、スイッチＳ１の第１、第２固定接点Ｓ１１、Ｓ１２及び端子Ｔ１、Ｔ２に電気的に接続される。第２基板４００ｂ上の他方の第２回路部６００ｂ及び電子部品５００ｂが、スイッチＳ２の第１、第２固定接点Ｓ２１、Ｓ２２及び端子Ｔ７、Ｔ８に電気的に接続される。電子部品５００ａが端子Ｔ３〜Ｔ４にも電気的に接続される。電子部品５００ｂが端子Ｔ５〜Ｔ６にも電気的に接続される。
【００８７】
その一方で、キートップ１００、レンズ７００ａ及び遮光ブロック７００ｂを用意する。その後、レンズ７００ａの嵌合凸部７１０をキートップ１００の開口１２０に嵌合させる。その後、遮光ブロック７００ｂをキートップ１００の取付部１３０に嵌合させる。その後、スライダ２００を用意する。このスライダ２００の取付溝２２２にはクッション２５０を嵌合している。その後、可動接点Ｓ１３、Ｓ２３を用意する。その後、スライダ２００のボス２４３に、可動接点Ｓ１３、Ｓ２３の固着板Ｓ１３ａ、Ｓ２３ａを固着させる。その後、キートップ１００をスライダ２００に取り付ける。
【００８８】
その後、ケース３００ｂを用意する。ケース３００ｂのレール溝３１２ｂ１にスライダ２００のレール２３１を嵌合させると共に、ケース３００ｂのレール３１１ｂ１をスライダ２００のレール溝２２１に嵌合させる。これにより、スライダ２００がケース３００ｂに対して第１方向Ｚに移動自在に取り付けられる。その後、コイルスプリング８００を用意する。その後、コイルスプリング８００の第１端部をケース３００ｂの収容凹部３１４ｂ１に部分的に収容させる。その後、スライダ２００をケース３００ｂに対して第１方向Ｚの他方側に移動させる。すると、スライダ２００の突起２４２がコイルスプリング８００の第２端部内に挿入される。
【００８９】
その後、ボール９２０及びコイルスプリング９３０を用意する。その後、コイルスプリング９３０の第１端部をスライダ２００の収容穴２４４に収容させる。その後、ボール９２０をコイルスプリング９３０の第２端部に嵌合させる。この状態で、ケース３００ｂをボディ３００ａのメインボディ３１０ａに固着させる。すると、ボディ３００ａの第３保持部３４０ａがケース３００ｂの底板３１３ｂの貫通孔３１３ｂ１を塞ぐ。この底板３１３ｂの収容凹部３４１ａにコイルスプリング８００の第１端部が部分的に収容される。このとき、ケース３００ｂの第１収容空間α１に、スライダ２００、可動接点Ｓ１３、Ｓ２３及びコイルスプリング８００が収容される。これと共に、スライダ２００の第２収容空間α２に、第１、第２保持部３２０ａ、３３０ａ、第１、第２基板４００ａ、４００ｂ、電子部品５００ａ、５００ｂ、端子Ｔ６〜Ｔ８、ボール９２０及びコイルスプリング９３０が収容される。ボール９２０がボディ３００ａの突脈９１０に当接し、コイルスプリング９３０がボール９２０と収容穴２４４の底部との間で圧縮される。第１保持部３２０ａのストッパ３２３ａがスライダ２００の貫通孔２２２に挿入される。端子Ｔ１〜Ｔ８のテール部Ｔ１５〜８５が、ケース３００ｂの開口３２１ｂから接続部３２０ｂ内に挿入される。
【００９０】
上述したプッシュスイッチは、キートップ１００及びスライダ２００が原点位置に位置しているとき、スイッチＳ１の可動接点Ｓ１３が初期位置に位置し、スイッチＳ２の可動接点Ｓ１３が初期位置に位置している。すなわち、可動接点Ｓ１３の摺動アームＳ１３ｂ、Ｓ１３ｃが第１、第２固定接点Ｓ１１、Ｓ１２に接触し、可動接点Ｓ２３の摺動アームＳ２３ｂが第１固定接点Ｓ２１の接点部Ｓ２１ｄと非接触となっている。このため、第１、第２固定接点Ｓ１１、Ｓ１２が導通し（スイッチＳ１がオン）、第２基板４００ｂ上の第２回路部６００ｂが電子部品５００ａを点灯させている。第１、第２固定接点Ｓ２１、Ｓ２２が非導通となり（スイッチＳ２がオフ）、第２基板４００ｂ上の第２回路部６００ｂが電子部品５００ｂを消灯させている。電子部品５００ａから照射された光は、レンズ７００ａを通じてキートップ１００外に放射されている。
【００９１】
キートップ１００が押下操作されると、スライダ２００のレール２３１がケース３００ｂのレール溝３１２ｂ１に、ケース３００ｂのレール３１１ｂ１がスライダ２００のレール溝２２１に案内され、キートップ１００及びスライダ２００がケース３００ｂに対して原点位置から押下位置にかけて第１方向Ｚに移動する。これに伴い、スイッチＳ１の可動接点Ｓ１３が初期位置から可動位置に移動し、スイッチＳ２の可動接点Ｓ１３が初期位置から可動位置に移動する。スイッチＳ１の可動接点Ｓ１３が可動位置に位置すると、可動接点Ｓ１３の摺動アームＳ１３ｂの先端部が第１固定接点Ｓ１１の接点部Ｓ１１ｄと非接触となる。これにより、第１、第２固定接点Ｓ１１、Ｓ１２が非導通となり（スイッチＳ１がオフ）、第２基板４００ｂ上の第２回路部６００ｂが電子部品５００ａを消灯させる。スイッチＳ２の可動接点Ｓ１３が可動位置に位置すると、可動接点Ｓ２３の摺動アームＳ２３ｂ、Ｓ２３ｃの先端部が第１、第２固定接点Ｓ２１、２２の接点部Ｓ２１ｄ、Ｓ２２ｄに接触する。これにより、第１、第２固定接点Ｓ２１、Ｓ２２が導通し（スイッチＳ２がオン）、第２基板４００ｂ上の第２回路部６００ｂが電子部品５００ｂを点灯させる。電子部品５００ｂから照射された光がキートップ１００のＰマーク１１０を点灯させる。
【００９２】
キートップ１００及びスライダ２００が原点位置から押下位置にかけて移動するとき、ボール９２０がボディ３００ａの突脈９１０の段差９１１を乗り越える。これにより、キートップ１００の押下操作に操作感が生じる。クッション２５０がケース３００ｂの支持台３１４ｂに弾性的に当接する。これにより、キートップ１００の押下操作時に、スライダ２００にかかる衝撃が軽減される。コイルスプリング８００がスライダ２００の底部２４０と収容凹部３４１ａ、３１４ｂ１の底面との間で圧縮される。これにより、スライダ２００に原点位置への復帰力が付与される。
【００９３】
キートップ１００が押下操作から解放されると、コイルスプリング８００の付勢力により、スライダ２００のレール２３１がケース３００ｂのレール溝３１２ｂ１に、ケース３００ｂのレール３１１ｂ１がスライダ２００のレール溝２２１に案内され、スライダ２００が押下位置から原点位置にかけて押し上げられる。これに伴い、スイッチＳ１の可動接点Ｓ１３が可動位置から初期位置に復帰し、スイッチＳ２の可動接点Ｓ１３が可動位置から初期位置に復帰する。このため、上述の通り、スイッチＳ１がオン、スイッチＳ２がオフとなり、電子部品５００ａが点灯、電子部品５００ｂが消灯する。これに伴い、クッション２５０が第１保持部３２０ａのストッパ３２３ａに弾性的に当接する。これにより、キートップ１００の復帰時に、スライダ２００にかかる衝撃が軽減される。
【００９４】
以上のようなプッシュスイッチによる場合、スイッチＳ１、Ｓ２を保護するための第１回路部６００ａが第１基板４００ａに、電子部品５００ａ、５００ｂ及び第２回路部６００ｂが第２基板４００ｂに設けられている。この第１、第２基板４００ａ、４００ｂがボディ３００ａの第１、第２保持部３２０ａ、３３０ａに第１方向Ｚに間隔をあけて保持されている。よって、ボディ３００ａ及びケース３００ｂの第１方向Ｚからの投影面積が小さくなるので、前記プッシュスイッチの小型化を図ることができる。
【００９５】
しかも、前記プッシュスイッチは、以下の通り、汎用性の高いスイッチとすることができる。電子部品５００ａ、５００ｂ及び第２回路部６００ｂが第２基板４００ｂに設けられているので、当該第２基板４００ｂを除去することにより、電子部品５００ａ、５００ｂ及び第２回路部６００ｂが不要なプッシュスイッチに対応させることができる。また、第２基板４００ｂを別の電子部品及びこれを作動させるための別の第２回路部が設けられた別の第２基板に交換することにより、別の電子部品を作動させるためのプッシュスイッチとすることも可能である。
【００９６】
更に、第１、第２基板４００ａ、４００ｂを第１、第２保持部３２０ａ、３３０ａに保持させると共に、スイッチＳ１、Ｓ２の第１、第２固定接点Ｓ１１、Ｓ１２、Ｓ２１、Ｓ２２の接続部Ｓ１１ａ、Ｓ１２ａ、Ｓ２１ａ、Ｓ２２ａ及び端子Ｔ１〜Ｔ８の接続部Ｔ１１〜Ｔ１８に電気的に接続させることが可能である。具体的には、第１基板４００ａを第１保持部３２０ａに保持させるときに、スイッチＳ１、Ｓ２の第１、第２固定接点Ｓ１１、Ｓ１２、Ｓ２１、Ｓ２２の接続部Ｓ１１ａ、Ｓ１２ａ、Ｓ２１ａ、Ｓ２２ａ及び端子Ｔ１〜Ｔ８の接続部Ｔ１１〜Ｔ１８が、第１基板４００ａのスルーホール電極４３０ａに突き刺さり、電気的に接続される。第２基板４００ｂを第２保持部３３０ａに保持させるときに、スイッチＳ１、Ｓ２の第１、第２固定接点Ｓ１１、Ｓ１２、Ｓ２１、Ｓ２２の接続部Ｓ１１ａ、Ｓ１２ａ、Ｓ２１ａ、Ｓ２２ａ及び端子Ｔ１〜Ｔ８の接続部Ｔ１１〜Ｔ１８が、第２基板４００ｂのスルーホール電極４３０ｂに突き刺さり、電気的に接続される。よって、第１、第２基板４００ａ、４００ｂのボディ３００ａに対する位置固定と、第１、第２固定接点Ｓ１１、Ｓ１２、Ｓ２１、Ｓ２２及び端子Ｔ１〜Ｔ８に対する電気接続を略同時に行うことができるので、前記プッシュスイッチの製造が容易になる。
【００９７】
また、第１基板４００ａが第２保持部３３０ａの支柱３３１ａに案内され、第１基板４００ａが第１保持部３２０ａ上に載置されるようになっているので、第１基板４００ａを第１保持部３２０ａ上に容易に設置し且つ位置決め固定できる。
【００９８】
なお、上述したプッシュスイッチは、上記実施例に限定されるものではなく、特許請求の範囲の記載範囲において任意に設計変更することが可能である。以下、詳しく述べる。
【００９９】
上記実施例では、スライダ２００がケース３００ｂに原点位置から押下位置にかけて第１方向Ｚにスライド移動自在に保持されているとした。しかし、スライダは、ケース及びボディの少なくとも一方に第１方向に移動自在に保持されている限り任意に設計変更することが可能である。
【０１００】
上記実施例では、キートップ１００はスライダ２００に取り付けられているとした。しかし、キートップは、第１方向に移動自在である限り任意に設計変更することが可能である。例えば、キートップをスライダに一体的に設けることが可能である。
【０１０１】
上記実施例では、プッシュスイッチは、ノーマルクローズ型のスイッチＳ１と、ノーマルクオープン型のスイッチＳ２とを備えているとした。しかし、本発明のプッシュスイッチは、ノーマルクローズ型及びノーマルクオープン型の少なくとも一つのスイッチを備えていれば良い。
【０１０２】
上記実施例では、スイッチＳ１は、金属板で構成された第１、第２固定接点Ｓ１１、Ｓ１２と、金属板で構成されたスライダである可動接点Ｓ１３とを有するとした。スイッチＳ２は、金属板で構成された第１、第２固定接点Ｓ２１、Ｓ２２と、金属板で構成されたスライダである可動接点Ｓ２３とを有するとした。しかし、スイッチは、キートップの移動に応じてオン又はオフにされる限り任意に設計変更することが可能である。例えば、スイッチは、第１基板又は第２基板上に実装されたタクトスイッチとすることが可能である。このタクトスイッチは、第１方向に移動したキートップ又はスライダにより押下され、オン又はオフにされる。また、スイッチは、第１基板又は第２基板上に実装された電極である第１、第２固定接点と、第１固定接点に接触するスナッププレートとを有する構成とすることが可能である。第１方向に移動したキートップ又はスライダによりスナッププレートが押下され、第２固定接点に接触する。
【０１０３】
上記実施例では、第１、第２固定接点Ｓ１１、Ｓ１２の接点部Ｓ１１ｄ、１２ｄは、メインボディ３１０ａの凹部３１２ａの底面から露出しているとした。第１、第２固定接点Ｓ２１、Ｓ２２の接点部Ｓ２１ｄ、２２ｄは、メインボディ３１０ａの凹部３１３ａの底面から露出しているとした。しかし、第１、第２固定接点の接点部は、メインボディの内面から露出する構成とすることが可能である。
【０１０４】
上記実施例では、第１、第２固定接点Ｓ１１、Ｓ１２の接続部Ｓ１１ａ、１２ａは、メインボディ３１０ａの凹部３１１ａ内に配置されているとした。第１、第２固定接点Ｓ２１、Ｓ２２の接続部Ｓ２１ａ、２２ａも、メインボディ３１０ａの凹部３１１ａ内に配置されているとした。しかし、第１、第２固定接点の接続部は、ボディ外に配置され、第１、第２基板に突き刺さる構成とすることが可能である。なお、第１、第２固定接点の埋設部は、メインボディに埋め込まれている限り任意に設計変更することが可能である。第１、第２固定接点の折り曲げ部は、Ｌ字状に限定されず、接続部が第１、第２基板に突き刺さるように折り曲げられている限り任意に設計変更することが可能である。
【０１０５】
上記実施例では、可動接点Ｓ１３は、固着板Ｓ１３ａと、摺動アームＳ１３ｂ、Ｓ１３ｃとを有するとした。可動接点Ｓ２３は、固着板Ｓ２３ａと、摺動アームＳ２３ｂ、Ｓ２３ｃとを有するとした。しかし、可動接点は、第１、第２構成である限り任意に設計変更することが可能である。第１の構成は、可動接点が、初期位置において前記第１、第２固定接点の少なくとも一方に非接触であり且つ前記キートップの移動に応じて前記初期位置から移動し、前記第１、第２固定接点に接触可能な構成である。第２の構成は、可動接点が、初期位置において前記第１、第２固定接点に接触しており且つ前記キートップの移動に応じて前記初期位置から移動し、前記第１、第２固定接点の少なくとも一方と非接触となる構成である。
【０１０６】
上記実施例では、第２基板４００ｂ上に電子部品５００ａ、５００ｂ及び第２回路部６００ｂが設けられているとした。しかし、第２基板上には、少なくとも一つの電子部品と、スイッチのオン又はオフに応じて前記電子部品を作動させる第２回路部とを有する限り任意に設計変更することが可能である。上記実施例では、電子部品はＬＥＤであるとしたが、これに限定されるものではない。例えば、電子部品としては、マイクロフォン又はスピーカー等を用いることが可能である。
【０１０７】
上記実施例では、第２基板４００ｂには、嵌合孔４１０ｂ及び嵌合凹部４２０ｂが設けられているとした。しかし、第２基板の形状は、ボディの第２保持部に第１基板から第１方向に間隔をあけて保持される限り任意に設計変更することが可能である。
【０１０８】
上記実施例では、第１基板４００ａは、凸部４１０ａ及びガイド凹部４２０ａが設けられているとした。しかし、第１基板の形状は、ボディの第１保持部に保持される限り任意に設計変更することが可能である。例えば、第１基板は、第２保持部の支柱が第１方向に移動自在に嵌合するガイド凹部のみを有する形状とすることが可能である。
【０１０９】
上記実施例では、ボディ３００ａは、メインボディ３１０ａと、第１、第２、第３保持部３２０ａ、３３０ａ、３４０ａとを有しているとした。しかし、ボディは、メインボディと、前記メインボディに設けられており且つ第１基板を保持する第１保持部と、前記メインボディ又は前記第１保持部に設けられており且つ第２基板を第１基板から第１方向に間隔をあけて保持する第２保持部とを有している限り任意に設計変更することが可能である。例えば、メインボディに第１方向に間隔をあけて設けられた第１、第２保持部に、第１、第２を保持させる構成とすることが可能である。この場合、第１、第２保持部は、第１、第２基板を保持可能な一又は複数のプレート又は台座を有する構成とすることが可能である。また、第１、第２保持部は、スイッチ及び／又は端子の接続部とすることが可能である。具体的には、スイッチ及び／又は端子の接続部が、第１、第２基板に突き刺さることにより、第１、第２基板を第１方向に間隔をあけて保持する構成とすることが可能である。
【０１１０】
上記実施例では、第２保持部３３０ａは、第１保持部３２０ａ上に設けられた４つの支柱３２１ａを有するとした。しかし、第２保持部は、メインボディ又は第１保持部に設けられており且つ第２基板を第１基板から第１方向に間隔をあけて保持し得る限り任意に設計変更することが可能である。よって、第２保持部は上述の通り設計変更することが可能である。
【０１１１】
上記実施例では、ケース３００ｂがボディ３００ａのメインボディ３１０ａに取り付けられるとした。しかし、ケースはこれに限定されるものではない。例えば、ケースは、ボディと一体的に設けることが可能である。
【０１１２】
上記実施例では、プッシュスイッチは、レンズ７００ａと、遮光ブロック７００ｂと、復帰用のコイルスプリング８００と、操作感発生部９００とを有しているとした。しかし、これらは省略可能である。また、第１、第２固定接点が外部接続部を有する場合には、端子Ｔ１〜Ｔ８は省略可能である。端子Ｔ１〜Ｔ８に代えて、ケーブル、ピン、ＦＰＣ等の外部接続手段を用いることが可能である。
【０１１３】
なお、上記実施例では、プッシュスイッチの各部を構成する素材、形状、寸法、数及び配置等はその一例を説明したものであって、同様の機能を実現し得る限り任意に設計変更することが可能である。上記実施例では、プッシュスイッチは、パーキングスイッチであるとしたが、その他のプッシュスイッチに適応可能である。
【符号の説明】
【０１１４】
１００・・・・・キートップ
２００・・・・・スライダ
３００ａ・・・・ボディ
３１０ａ・・・メインボディ
３２０ａ・・・第１保持部
３３０ａ・・・第２保持部
３３１ａ・・支柱
３４０ａ・・・第４保持部
３００ｂ・・・・ケース
３１０ｂ・・・ケース本体
３２０ｂ・・・接続部
４００ａ・・・・第１基板
４１０ａ・・・凸部
４２０ａ・・・ガイド凹部
４００ｂ・・・・第２基板
４１０ｂ・・・嵌合孔
４２０ｂ・・・嵌合凹部
５００ａ・・・・電子部品
５００ｂ・・・・電子部品
６００ａ・・・・第１回路部
６００ｂ・・・・第２回路部
７００ａ・・・・レンズ
７００ｂ・・・・遮光ブロック
８００・・・・・コイルスプリング
９００・・・・・操作感発生部
Ｓ１・・・・・・スイッチ
Ｓ１１・・・・第１固定接点
Ｓ１２・・・・第２固定接点
Ｓ１３・・・・可動接点
Ｓ２・・・・・・スイッチ
Ｓ２１・・・・第１固定接点
Ｓ２２・・・・第２固定接点
Ｓ２３・・・・可動接点
Ｔ１〜Ｔ８・・・端子
Ｚ・・・・・・・第１方向
Ｘ・・・・・・・第２方向
Ｙ・・・・・・・第３方向
【図１Ａ】
2014130711.tif 000003
【図１Ｂ】
2014130711.tif 000004
【図２Ａ】
2014130711.tif 000005
【図２Ｂ】
2014130711.tif 000006
【図２Ｃ】
2014130711.tif 000007
【図２Ｄ】
2014130711.tif 000008
【図３Ａ】
2014130711.tif 000009
【図３Ｂ】
2014130711.tif 000010
【図４】
2014130711.tif 000011
【図５Ａ】
2014130711.tif 000012
【図５Ｂ】
2014130711.tif 000013